(57)【要約】【課題】従来の簡易な火災報知器や警報器は単独の機能しか無かったので、コンパクトにして操作性がよい火災と防犯に対応できる複合警報器を提供する。【解決手段】容体２内に引き紐２３で作動するスイッチ１０と、煙センサー９とタイマー回路とＬＥＤを有する回路部１２とブザー８を位置した基板１３を収めた一部に電池ケース３を設けてなる容体２に、ブザー８と放音穴１８と煙感知穴１９と透明窓２０を設けたカバー６を取り付けた警報器本体２４に、該警報器本体２４が着脱自在にできる取り付けベース盤４を組み合わせた複合警報器１を構成する。【選択図】図１
0003112107.tif 000002
【実用新案登録請求の範囲】
【請求項１】
火災や不審者侵入に対する簡易な警報器であって、容体内に引き紐によるスイッチで作動するブザーと、煙センサーとタイマー回路とＬＥＤを有して前記ブザーが作動する回路部を設けた基板を収めた一部に電池ケースを設けた容体に、ブザー放音穴と煙感知穴と透明窓を設けたカバーを取り付けた警報器本体に、該警報器本体が着脱自在にできる取り付けベース盤を組み合わせてなる構成を特徴とする火災感知機能付き防犯複合警報器。
【請求項２】
上記する引き紐に伸縮具を介在させた請求項１に記載の火災感知機能付き防犯複合警報器。
【考案の詳細な説明】
【技術分野】
【０００１】  本考案は、火災報知とともに、不審者の侵入に対する警報ブザーを作動させることができる、コンパクトにして容易に取り付けられる複合警報器に関する。
【背景技術】
【０００２】  従来、火災報知器においては、単独の機能を有するコンパクトなタイプや建物の備品として組み込まれるタイプの器具が提供されている。他方、防犯ブザーや警報器はコンパクトな携帯型の物から建物内に侵入した際に作動する防犯警報システムなどがある。【０００３】  その中において、火災を感知したら警報器が作動する電池式による簡易タイプの火災感知警報器の技術もある。（参考文献１参照）さらに防犯警報器においては、警報器に連結具付き連結紐を接続し、物品の盗難を防ぐ際は前記した連結具を荷物に取り付けて置き、引ったくりで持ち去られた場合は作動ピンが抜けて警報音が鳴る防犯警報装置の技術があった。（参考文献２参照）
【特許文献１】特開平１０−１８８１６１（第２頁、図２）
【特許文献２】特開２０００−２０８３５（第３頁−第６頁、図１）
【考案の開示】
【考案が解決しようとする課題】
【０００４】  上記するような火災報知器や防犯警報装置の技術が提供され、それぞれ一定の機能は果たしている。しかし特開平１０−１８８１６１における技術は、火災を感知したら警報器が作動する電池を電源とする簡易なタイプの火災感知警報器と言う利点はあるが、この技術は火災を感知して警報する機能しか有しない物であった。【０００５】  また特開２０００−２０８３５による防犯警報装置は、携帯型の警報器から作動ピンが抜けると警報器が作動するタイプであり、その警報器の作動ピンに連結具付き連結紐を取り付けた前記連結具を物品に連結することで、物品が持ち去られた際に作動ピンが抜けることで警報音が発せられる防犯警報装置であるが、この技術は従来より数多くある携帯型の警報器に、単に物品に連結できる連結紐を取り付けただけの技術であって何ら新しい技術とは言えない。
【課題を解決するための手段】
【０００６】  本考案による警報器は上記するような不便や欠点を解消するために、請求項１においては、容体内に引き紐によるスイッチで作動するブザーと、煙センサーとタイマー回路とＬＥＤを有する回路部を設けた基板を収めた一部に電池ケースを設けた容体に、ブザー放音穴と煙感知穴と透明窓を設けたカバーを取り付けた警報器本体に、該警報器本体が着脱自在にできる取り付けベース盤を組み合わせた警報器とすることで、火災に対しては自動的に、また不審者侵入に対しては引き紐スイッチで作動する複合警報器とする。【０００７】  請求項２においては、上記する引き紐にコイルバネなどの伸縮具を介在させることで、強く引っ張っても衝撃を吸収して切れない引き紐とする。
【考案の効果】
【０００８】  本考案における警報器は、容体内に引き紐によるスイッチで作動する防犯警報器と、煙センサーと回路部により自動的に作動する火災報知器を備え、且つ電源は電池で天井や壁面に取り付けられる簡易なタイプであるので、ユーザー自身が簡単に任意の場所に取り付けられる警報器である。また不審者の侵入に対しては引き紐を引っ張ることで警報音を発せられ、火災による煙が出た場合は煙センサーにより自動的に作動して、きわめて高音の警報ブザーを発することで、周囲に異常事態を容易に知らせることができる、火災にも防犯にも対応することができる複合警報器である。【０００９】  加えて、回路部にはタイマー回路とともに確認ランプとしてのＬＥＤを備えているので、電池切れが近付いたり、煙を感知した場合はＬＥＤの点滅や発光とともに音も発するので、耳や目で作動状態を知ることができるうえ、警報ブザーが作動した場合でも約５秒間引き紐を引くと鳴り止むとともに、その後約５分間経過すると自動的にリセットされる機能的な警報器である。また警報ブザーは引き紐でも作動するので、防犯時はもとより、一人住まいにおける高齢者の体調異変を外部に伝える報知器としても有効に使える。また、、外部スピーカーを用いた際に、侵入者がリード線を切断した場合は自動的に警報ブザーが鳴るシステムであるので、不審者の侵入前に警報を発せられる有効な警報器である。加えて、電池を電源とするコンパクトな構成であるので、一家に複数個用いてもそれほど負担にならない火災と防犯いずれにも対応できる、安価にして操作性がよい警報器を提供することができる。
【考案を実施するための最良の形態】
【００１０】  本考案による警報器は、煙感知による火災報知機能とともに不審者の侵入による防犯ブザー機能も合わせ持つ複合警報器とする。
【実施例】
【００１１】  本考案の複合警報器を、図１に示す一部欠損した分解斜視図と図２に示す容体の背面斜視図、図３に示す取り付けベース盤の正面図、図４に示す基本回路図で説明する。
この考案による複合警報器１は、浅い容体２の裏面片側一部に電池ケース３を設けるとともに、中ほど左右には、別途に形成される取り付けベース盤４に係止する逆Ｌ字状の嵌合突起５，５と、カバー６を留めるネジ穴７，７を設けた容体２とする。【００１２】  次に、その容体２内部には、ブザー８と煙センサー９及び、スイッチ１０とＬＥＤ１１と、それらを作動させるとともにタイマー回路を有する回路部１２備えた基板１３を収めてなる前記電池ケース３内に、その電池ケース３の底面側に設けた支持板１４とバネ１５によりスライド自在に動く表示板１６に連動する可動板１７を位置する。【００１３】  以上のような容体２に、放音穴１８と煙感知穴１９及び、前記表示板１６とＬＥＤ１１を視認できる透明窓２０，２０と紐穴２１を設けたカバー６を組み合わせてなる前記紐穴２１を介して、コイルバネやゴム紐などによる伸縮具２２を介在させた引き紐２３の端部を、前記基板１３のスイッチ１０に連結してなる警報器本体２４を形成する。【００１４】  さらに、この警報器本体２４を天井や壁面に着脱自在に固定できる取り付けベース盤４として、前記容体２裏面に設けた嵌合突起５，５に係合する、逆Ｌ字状の係止突片２５，２５とコの字状の切れ込みを入れたロック片２６及び天井に固定するネジ穴７，７を設けた取り付けベース盤４を、前記報知器本体２４に組み合わせてなる複合警報器１を構成する。尚、前記電池ケース３には回路部１２に連結されたソケット２７が位置されるとともに、容体２の側部には外部スピーカーに延長するブザー端子を設けてもよい。また表示板１６には、電池を入れた場合は作動中と表示し、入れていない場合は、電池を入れて下さいという文字を表示している。【００１５】  本実施例における複合警報器１は以上のような構成であるので、まず取り付ける際は、取り付けベース盤４を天井などにネジ止めして後に、報知器本体２４を嵌合すれば簡易に吊り下げ状態にセットできる。また報知器本体２４内には、煙センサー９と回路部１２、引き紐２３で作動するブザー８とタイマー回路を有する回路部１２を備えているので、まず火災による煙が出た場合は煙センサー９と回路部１２により自動的にブザー８が鳴り響くとともに、引き紐２３を約５秒ほど引き続けると鳴り止む。他方、不審者の侵入を発見したり強盗などに遭った場合は、引き紐２３を引くとスイッチ１０が入って、警報音の高いブザー８が鳴ることで周囲に異常事態を報知し、約５秒ほど引き紐２３を引くと鳴り止むとともに、いずれも約５分間経過すると自動的にリセットされる。【００１６】  加えて、回路部１２はタイマー回路や検知機能を有しているので、電池が少なくなったり、煙感知時や作動状態により、ＬＥＤ１１の発光や点滅とともに音でも知らせる方式により、耳や目などいずれでも確認できるため、子供や高齢者でも作動状態を容易に知ることができる。また警報音は１２０デシベルときわめて大きいのでそのままでも屋外に届くが、外部端子も備えているので異常事態をさらに効果的に屋外に報知することができるうえ、侵入者が外部のリード線を切断するとブザーが鳴り響く複合警報器１である。
【図面の簡単な説明】
【００１７】
【図１】本考案の複合警報器を示す一部欠損した分解斜視図である。
【図２】容体背面部を示す斜視図である。
【図３】別体のベース盤を示す正面図である。
【図４】本考案の複合警報器の基本回路図である。
【符号の説明】
【００１８】  １  複合警報器
２  容体
３  電池ケース
４  取り付けベース盤
５  嵌合突起
６  カバー
７  ネジ穴
８  ブザー
９  煙センサー
１０  スイッチ
１１  ＬＥＤ
１２  回路部
１３  基板
１４  支持板
１５  バネ
１６  表示板
１７  可動板
１８  放音穴
１９  煙感知穴
２０  透明窓
２１  紐穴
２２  伸縮具
２３  引き紐
２４  警報器本体
２５  係止突片
２６  ロック片
２７  ブザー端子
【図１】
0003112107.tif 000003
【図２】
0003112107.tif 000004
【図３】
0003112107.tif 000005
【図４】
0003112107.tif 000006